(57)【要約】【課題】室外機の運転中に、室外ケーシングの一部を取り外すことなく、赤外線通信で室外機の運転情報の確認を行なうことができ、作業者の作業性・安全性を向上させた室外機を提供する。【解決手段】室外機は、室外ケーシング１３と、この室外ケーシング１３内の機械室１４に設けられた室外制御器１６と、この室外制御器１６と接続され、機械室１４に露出するように設けられた赤外線送受信部１７と、この赤外線送受信部１７の下方に対向して室外ケーシング１３の開口部に設けられ、赤外線を透過させる光透過窓１９とを備え、赤外線送受信部１７は光透過窓１９を通して室外ケーシング１３の外部と赤外線通信可能に構成されたものである。【選択図】  図１
2015064156.tif 000002
【特許請求の範囲】
【請求項１】
送風ファンと室外熱交換器を収納する送風機室と圧縮機を収納する機械室とを備えた室外ケーシングと、
前記機械室に設けられた室外制御器と、
前記室外制御器に接続され、前記機械室に露出するように設けられた赤外線送受信部と、
この赤外線送受信部の下方に対向して前記室外ケーシングの開口部に塞ぐように設けられ、赤外線を透過させる光透過窓とを備え、
前記赤外線送受信部は前記光透過窓を通して前記室外ケーシングの外部と赤外線通信可能に構成されたことを特徴とする室外機。
【請求項２】
前記室外ケーシングには、室外機運搬用に凹設された手掛り部が設けられ、前記光透過窓は、前記手掛り部の凹設された奥まった底部開口を閉塞するように設けられた請求項１に記載の室外機。
【請求項３】
前記光透過窓は、前記室外ケーシングの外側上方から庇で覆われた請求項１または２に記載の室外機。
【請求項４】
前記手掛り部は凹設された奥の底部に向って斜め上方に傾斜していることを特徴とする請求項２に記載の室外機。
【発明の詳細な説明】
【技術分野】
【０００１】
本発明の実施形態は、室外ケーシングを取り外すことなく、赤外線通信で運転情報の確認を行なうことが可能で、室外機のサービス対応時の作業性・安全性を向上させた室外機に関する。
【背景技術】
【０００２】
従来、サービス時の空気調和装置の運転情報の確認は、室外ケーシングを取り外し、室外制御器に検査治具を接続することで実施されている。このような作業は、室外ケーシングを取り外すのに手間がかかり、面倒である。また、空気調和機の運転中に検査治具を接続する場合、通電中の電気部品に接触して感電する危険性がある。
【０００３】
なお、空調ユニットのケーシング内に配置された複数の個々の制御ユニットそれぞれに赤外線通信機能を備え、空調ユニットのケーシング内における相互通信を赤外線通信で行なうことができるようにした技術が記載されている（特許文献１参照）。
【０００４】
この空気調和装置は、室外機のケーシング内に配置された個々の制御ユニット同士を赤外線通信で結ぶことを前提としており、室外ケーシング内の制御ユニット同士を赤外線通信を行なうことで、複数の制御ユニット間を引き回す配線数の低減を図ったものである。
【先行技術文献】
【特許文献】
【０００５】
【特許文献１】特開平２００８−１０１８６７号公報
【発明の概要】
【発明が解決しようとする課題】
【０００６】
特許文献１に記載の空気調和装置では、制御ユニットが外部通信機器と無線通信可能であることが記載されているが、室外ケーシングは一般に密閉されており、外部通信機器との赤外線通信は困難であり、赤外線通信は室外ケーシング内に収容された電装品箱内の利用に限定される。室外機の電装品箱内に配置の制御ユニットが外部通信機器と赤外線通信を行なうためには、結局のところ、その都度室外ケーシングの一部や電装品箱の蓋部材を取り外し、室外ケーシング内の赤外線送受信部を各部に露出させた状態にしなければならない。
【０００７】
赤外線送受信部を露出させた状態は、同時に室外機の通電部や冷凍サイクル上の高温箇所を外部に露出させることに繋がり、結局のところ、室外機を取り扱う作業者に危険が及ぶ可能性がある。室外機のサービス対応時の作業者の作業性・安全性の確保が困難となる問題がある。
【０００８】
本発明は、上述した事情を考慮してなされたもので、空気調和装置の運転中に、室外ケーシングの一部を取り外すことなく、赤外線通信で室外機構成機器の運転情報の確認検査を行なうことができ、作業者の作業性・安全性を向上させた室外機を提供することを目的とする。
【課題を解決するための手段】
【０００９】
本発明に係る室外機は、上述した課題を解決するために、室外ケーシングと、この室外ケーシング内の機械室に設けられた室外制御器と、この室外制御器に接続され、前記機械室に露出するように設けられた赤外線送受信部と、この赤外線送受信部の下方に対向して前記室外ケーシングの開口部を塞ぐように設けられ、赤外線を透過させる光透過窓とを備え、前記赤外線送受信部は前記光透過窓を通して前記室外ケーシングの外部と赤外線通信可能としたものである。
【発明の効果】
【００１０】
本発明に係る室外機は、空気調和装置の運転中に、室外ケーシングの一部を取り外すことなく、赤外線通信で赤外線構成機器の運転状態の検査・確認を行なうことができ、室外機のサービス対応時に作業員の作業性・安全性を向上させることができる。
【図面の簡単な説明】
【００１１】
【図１】空気調和装置の室外機の第１の実施形態を示す模式図。
【図２】空気調和装置の運転制御する基本的な制御ブロック図。
【図３】第１の実施形態に係る室外機の具体例を示す斜視図。
【図４】空気調和装置の室外機の第２の実施形態を示す模式図。
【図５】第２の実施形態に係る室外機の具体例を示す斜視図。
【発明を実施するための形態】
【００１２】
以下、本発明の実施形態について、添付図面を参照して説明する。
【００１３】
［第１の実施形態］
図１は、本発明の第１の実施形態に係る室外機を示す模式図であり、図２は、空気調和装置の運転制御を示す制御ブロック図である。
【００１４】
空気調和装置１０は室外機１１と室内機１２とがセパレート(分離)して設置され、室外機１１は、図１に示すように、室外（本体）ケーシング１３の機械室１４内上部にボックス状の電装品箱１５が、下部にコンプレッサ１８等がそれぞれ設けられる。電装品箱１５内には制御ユニットを構成するマイコン等の室外制御器１６が収容される。室外制御器１６には赤外線送受信部１７が接続される。赤外線送受信部１７は、電装品箱１５から機械室１４内に露出した赤外線送信および受信素子で構成され、受信した信号を電装品箱１５内の室外制御器１６に送るとともに、室外制御器１６から発信すべき信号の指示を受けて、信号を赤外線で送信する。
【００１５】
一方、赤外線送受信部１７に対向する室外ケーシング１３の前壁あるいは側壁に開口が形成され、この開口は赤外線透過用の光透過窓１９で覆われる。光透過窓１９は赤外線送受信部１７の近くでその下方に設けられ、赤外線送受信部１７から発せられた赤外線信号を室外機１１外部に送信可能に構成される。光透過窓１９はアクリル系樹脂やポリカーボネイト等の樹脂材料で形成され、赤外線を透過できる色に着色成形されている。光透過窓１９は、室外ケーシング１３の壁開口を液密に塞いでおり、屋外や屋上あるいはベランダ設置の室外ケーシング１３の機械室１４内に雨水が侵入するのを防止している。
【００１６】
さらに、室外機の運転状態の検査や保守対応等のサービス対応を行なう作業者は、情報端末機器となるリモートコントローラ等の外部通信機器２０を携帯している。外部通信機器２０は、赤外線が送受信できる通信機能を備え、室外ケーシング１３内の赤外線送受信部１７と赤外線通信可能となっている。外部通信機器２０は、操作部及び表示部を備え、室外機１１内の各種機能部品の運転情報、取扱い情報を要求・確認し、監視する情報確認ツールとして機能する。
【００１７】
また、空気調和装置１０は、図２に示す制御ブロック図で示されるように構成され、室外機１１側の室外制御器１６と室内機１２側の室内制御器２２とは、それぞれ室内外通信回路２３，２４により通信線２５を介して相互通信可能に構成される。
【００１８】
室内機１２の室内制御器２２は、室内側のリモートコントローラ２７から空気調和装置１０の運転・停止・運転モード・設定温度等の操作指示信号を赤外線ワイヤレス受光部２８で受光している。受光した操作指示信号に基づき、運転指示の場合には、室内制御器２２はファン駆動回路３０を駆動して室内ファン３１を運転モードに合せた所定の回転数に設定して運転させるとともに、室外機１１の室外制御器１６に所定の運転指示を送信している。
【００１９】
室外機１１の室外制御器１６は、マイコン等で構成され、室内制御器２２からの運転指示に基づいて制御される。この室外制御器１６は、室内制御器２２の運転指示により、コンプレッサ１８のインバータ駆動回路３３および室外ファン３４のインバータ駆動回路３５を駆動させ、コンプレッサ１８の運転周波数（回転数）、室外ファン３４の回転数、四方弁（図示せず）の切換制御、冷凍サイクルのコントローラ等の各構成機器の運転内容を決定し、制御している。このため、室外制御器１６の制御量は室内制御器２２の運転指示の制御量に較べ格段に情報量が多い。
【００２０】
室外機１１側のコンプレッサ１８や室外ファン３４の運転有無の確認や、コンプレッサ１８の停止や各種電気配線の断線等、故障データによる異常事態は、室外機１１と室内機１２との間で通信線２５によるデータ通信により、室内機１２側で確認することができる。
【００２１】
しかし、空気調和装置１０の運転において、室外機１１側のコンプレッサ１８の回転数や室外ファン３４の回転数等の各構成機器（各種機能部品）の運転状態データ量は非常に多く、個々の運転状態を室内機１２側に送信して確認することは困難である。このため、従来は、室外機１１側の各種機能部品の運転状態を確認するために、通電中に室外ケーシング１３の外部パネルや電装品箱１６の蓋部材をその都度取り外して通電部や冷凍サイクルの高温箇所を露出させ、各制御部を配線でパソコン等の検査治具に接続し、このパソコンで各構成機器（各種機能部品）の運転状態データを取得し、確認している。室外機１１のサービス対応時の各種機能部品の運転状態の確認作業は、室外機１１の通電部や冷凍サイクルの高温箇所を露出させる必要があり、従来は作業員を危険に晒すこととなり、作業員の作業性や安全性上問題があった。
【００２２】
これに対し、第１実施形態では、外部通信機器２０は、室外機１１の室外ケーシング１３に設けられた光透過窓１９を通して室外制御器１６と相互に赤外線通信可能に設けられる。外部通信機器２０は、室外機１１の各構成機器（各種機能部品）を操作するための個々の要求データを選定すると操作部３７と、選定された要求データに基づき、赤外線信号を作成する制御部３８と、作成された赤外線信号を送信する赤外線送受信部３９と、赤外線通信により取得した室外機１１側の各構成機器の情報確認情報（データ）を表示する表示部４０とを有する。
【００２３】
外部通信機器２０は、赤外線送受信部３９から光透過窓１９を通して（室外機１１の赤外線送受信部１７を経て）室外制御器１６との間で赤外線信号を用いて情報をやり取りする。室外制御器１６は外部通信機器２０からのデータ要求を赤外線信号として受信する。室外制御器１６は運転中は、常に各構成機器（各種機能部品）、例えば、室外ファン３４のインバータ駆動回路３５やコンプレッサ１８のインバータ駆動回路３３の運転状態の情報を保有している。
【００２４】
したがって、室外制御器１６は、外部通信機器２０から受信したデータ要求に対応したデータを、室外機１１側の赤外線送受信部１７から光透過窓１９を通して外部通信機器２０に送信する。このように外部通信機器２０と室外制御器１６との間で相互に無線の赤外線通信が行なわれることにより、要求データは室外制御器１６から外部通信機器２０に返信され、このデータは外部通信機器２０の表示部４０に表示される。表示部４０は例えば液晶表示画面で構成される。
【００２５】
したがって、室外機１１は、作業員が携帯して搬送される外部通信機器２０と赤外線通信により無線で送受信可能に構成される。この赤外線通信では、０．７６μｍ〜１ｍｍ程度の電磁波が用いられ、１０ｍ以内、例えば７〜８ｍ範囲内で無線の赤外線送信が行なわれる。また、室外機１１の室外制御器１６と外部通信機器２０との間の赤外線通信では、室外ケーシング１３の光透過窓１９は室外制御器１６に備えられた赤外線送受信部１７の下方に設けられるので、日光等の外乱（ノイズ）が赤外線通信を妨害することを防止することができる。
【００２６】
第１の実施形態に用いられる室外機の具体例を、図３を参照して説明する。図１に示された室外機１１と同じ構成には同一符号を付して説明する。
【００２７】
図３に示される室外機１１は横置きタイプの略直方体のボックス状室外ケーシング１３を備える。室外ケーシング１３内は、板金などで形成された仕切壁４３により一側に機械室１４が、他側に熱交換器室４４がそれぞれ形成される。機械室１４は雨水が浸入しない構造に構成され、機械室１４の底板上にコンプレッサ１８やアキュムレータ、四方弁（図示せず）等が設置される。機械室１４のコンプレッサ１８上方には電装品箱１５が設けられ、電装品箱１５は板金構造でボックス状に構成され、電装品箱１５の一部、例えば前面視右側下隅部に赤外線送受信部１７が機械室１４内に露出して設けられる。
【００２８】
赤外線送受信部１７は赤外線ＬＥＤ等の赤外線発振素子およびフォトダイオードやフォトトランジスタ等の赤外線受光素子を組み合せて構成される。
【００２９】
また、電装品箱１５内に、図２に示すように、各制御ユニットを構成する室外制御器１６と、室外制御器１６と室内側の室内制御器２２とを相互通信接続可能な室内外通信回路２３と、コンプレッサ１８を駆動制御するインバータ駆動回路３３と、室外ファン３４を駆動制御するインバータ駆動回路３５と、冷凍サイクルの制御回路（図示せず）等とがそれぞれ収容される。電装品箱１５内の室外制御器１６は赤外線送受信部１７と信号線により電気的に接続され、室外制御器１６は赤外線送受信部１７と相互通信が行なわれる。電装品箱１５内はインバータ駆動回路３３，３５等の高発熱部品および室外制御器１６等の発熱部品を備えるため、放熱フィンやヒートシンク（共に図示せず）が設けられる。放熱フィンやヒートシンクは、電装品箱１５から熱交換器室４４の空気流路内に突出して、放熱するようになっている。
【００３０】
また、電装品箱１５の赤外線送受信部１７の近くに位置する室外ケーシング１３の前面板１３ａには開口が形成されており、この開口を覆うように光透過窓１９が設けられる。光透過窓１９は赤外線を透過する樹脂材料で形成され、赤外線送受信部１７近くでその下方に対向して設けられる。赤外線送受信部１７より下方に光透過窓１９を設けることで、直射日光が外乱として赤外線通信を妨げるのを防止している。光透過窓１９の上方には、日光６１を遮る庇４５が設けられる。
【００３１】
さらに、室外ケーシング１３の熱交換器室４４内に、室外熱交換器４８が設けられる。室外熱交換器４８は室外ケーシング１３の背面板１３ｂおよび側面板１３ｃに沿って平面視Ｌ字状に設置される。室外熱交換器４８を平面視Ｌ字状に配置した熱交換器室４４内にモータ駆動の室外ファン３４が設けられる。室外ファン３４はモータ駆動により、室外ケーシング１３の背側および側面の空気取入口（吸込口（図示せず））から外気を吸引して、室外熱交換器４８で熱交換している。室外熱交換器４８で熱交換されて暖められた空気は、室外ファン３４により前面板１３ａの空気吹出口４９により前方に吹き出される。空気吹出口４９は保護用のメッシュ状のファンガードで覆われている。
【００３２】
室外機１１は前面の空気吹出口４９より暖められた空気が前方に吹き出されるために、室外機１１の前方には吹出スペースが形成される。室外機１１の機械室側側面板１３ｄに接続配管（図示せず）が取り付けられるため配管スペースが形成される。このため、室外機１１の前面側および機械室側面の外周りに空きスペースが形成され、この空きスペースを活用することで外部通信機器２０の赤外線によるアクセスが容易となる。図３では、光透過窓１９を室外ケーシング１３の前面側に設けた例を説明したが、機械室外側面の外側に空気スペースに形成されるので、光透過窓１９を前面側に変えて機械室側面側に設けてもよい。
【００３３】
外部通信機器２０は、図２に示すものと同様に赤外線送受信部３９を備えており、この送受信部３９は電装品箱１５の赤外線送受信部１７と同じ構成を有する。外部通信機器２０の赤外線送受信部３９と電装品箱１５の赤外線送受信部１７は光透過窓１９を通して対向させることができ、外部通信機器２０は室外機１１内の電装品箱１５内と室外ケーシング１３の外部ケースを取り外すことなく、無線による赤外線通信を行なうことができる。
【００３４】
したがって、室外機１１のコンプレッサ１８および室外ファン３４の運転状態を空気調和装置１０の運転中に、室外機１１の室外ケースを取り外すことなく検査し、確認することができる。室外機１１の運転状態の確認や検査を運転中に行なう場合、作業員が外部通信機器２０を室外機１１の光透過窓１９に近付けて外部から操作するだけで、室外ケーシング１３の一部を取り外したり取り付ける着脱作業が不要となり、作業員の作業性・安全性を向上させることができる。
【００３５】
［第２の実施形態］
図４は、本発明に係る室外機の第２の実施形態を模式的に示した図である。
【００３６】
室外機の第２の実施形態を説明するに当り、第１の実施形態の室外機と同じ構成、作用には、同一符号を付して説明を省略する。第２実施形態は、複数台、例えば２台の室外ファン３４を上下に配列した縦置きタイプの室外ケーシング１３Ａを備える。室外機１１Ａの機械室１４内の底部にコンプレッサ１８を２台設置した例を示したが、コンプレッサ１８は機械室１４内に１台あるいは３台以上設置してもよい。室外機１１Ａと室内機１２との通信関係は、第１実施形態の空気調和装置と同様であるので、その説明を省略する。
【００３７】
第２実施形態の室外機１１Ａでは、室外ケーシング１３Ａの機械室１４側の上下方向中程に、室外機１１Ａ搬送用の手掛り部６０が設けられる。手掛り部６０は室外ケーシング１３Ａの側壁に凹設され、その底部を開口させており、この凹設部は作業員が手指等で室外機１１Ａを把持する把持部として構成される。手掛り部６０の凹部には、奥まった底部の開口を少なくとも塞ぐように、赤外線を通過させる光透過窓１９が設けられる。光透過窓１９は、第１実施形態の室外機１１と同様、アクリル系樹脂やポリカーボネイト等の樹脂材料で構成される。
【００３８】
また、手掛り部６０の凹部には、外部通信機器２０の先端部が出し入れ挿入自在に設けられる。手掛り部６０は凹部が奥部側に斜め上方を向くように傾斜しており、室外機１１Ａを屋外や屋上に設置したとき、日光６１が手掛り部６０の光透過窓１９に照射されるのを防止している。
【００３９】
さらに、手掛り部６０に設けられた光透過部１９は、室外制御器１６に設けられた赤外線送受信部１７と近くで対向している。赤外線送受信部１７は、室外ケーシング１３内の機械室１４に露出する構造が採用される。室外制御器１６を収容した電装品箱１５の構成は第１実施形態の室外機１１と異ならないので説明を省略する。
【００４０】
第２実施形態の室外機１１Ａにおいては、手掛り部６０の凹部形状により日光６１が光透過窓１９に到達し、赤外線通信の外乱として作用するのを効果的に防止できる。その際、室外制御器１６に設けられ、機械室１４内に露出する赤外線送受信部１７が手掛り部６０の光透過窓１９より上方に位置して対向させることにより、日光６１の光透過窓１９への入射をより確実に防止することができる。
【００４１】
第２実施形態は、室外機１１Ａの搬送用手掛り部６０を凹設して設け、手掛り部６０の奥まった底部開口を、赤外線を通過させる光透過窓１９で閉塞し、室外機１１Ａ内に設けられた電装品箱１５内の室外制御器１６を、外部から外部通信機器２０で操作して、赤外線通信可能に設けられる。
【００４２】
したがって、空気調和装置１０の運転中に、室外ケーシング１３の外部ケースを取り外すことなく、室外機１１Ａの運転状態を外部から簡単かつ容易に赤外線通信で確認することができる。このため、赤外線通信機能を有する外部通信機器２０を使用して、コンプレッサ１８の回転速度や室外ファン３４の回転数、室外機１１Ａに設けられた各種センサ温度等から希望する情報を外部で確認することができる。
【００４３】
その際、室外機１１Ａは、外部ケーシング１３Ａの光透過部を通過させて室外機１１Ａの外部と赤外線通信を行なうことにより、室外ケーシング１３Ａの一部、例えば室外ケース等を取り外す着脱作業が不要となる。しかも、光透過窓１９は、室外機１１Ａの室外ケーシング１３Ａの手掛り部６０の凹設された奥まった底部に設けられるので、日光６１が光透過窓１９に到達して、これを照射するのを防止することができる。
【００４４】
したがって、空気調和装置１０の運転中に、外部通信機器２０を用いて室外機１１Ａと無線の赤外線通信を行なう場合にも、手掛り部６０で覆うことにより、日光６１を遮蔽し、日光等の影響で赤外線通信が妨害されるのを、確実に防止することができる。
【００４５】
第２の実施形態に用いられる室外機の具体例を、図５を参照して説明する。図３に示された室外機１１Ａと同じ構成には同一符号を付して説明する。
【００４６】
図５に示される室外機１１Ａは縦置きタイプの略直方体のボックス状室外ケーシング１３Ａを備える。室外ケーシング１３Ａ内は、板金などで成形された仕切壁４３により一側に機械室１４が、他側に熱交換器室４４がそれぞれ形成される。機械室１４は雨水が浸入しない密封構造に構成され、機械室１４の底板上にコンプレッサ１８や四方弁（図示せず）等が設置される。機械室１４のコンプレッサ１８上方には電装品箱１５が設けられる。電装品箱１５は板金構造でボックス状に構成され、電装品箱１５の一部、例えば前面視右側下隅部に赤外線送受信部１７が機械室１４内に露出して設けられる。
【００４７】
また、電装品箱１５内に、図２に示すように、各制御ユニットを構成する室外制御器１６と、室外制御器１６と室内側の室内制御器２２とを相互通信接続可能な室内外通信回路２３と、コンプレッサ１８を駆動制御するインバータ駆動回路３３と、室外ファン３４を駆動制御するインバータ駆動回路３５と、冷凍サイクルの制御回路（図示せず）等とがそれぞれ収容される。電装品箱１５内の室外制御器１６は赤外線送受信部１７と信号線により電気的に接続され、室外制御器１６は赤外線送受信部１７と相互通信が行なわれる。
【００４８】
また、電装品箱１５の赤外線送受信部１７の近くに位置する室外ケーシング１３の前面板１３ａには機械室１４の上下方向中程に室外機運搬用の手掛り部６０が設けられる。手掛り部６０は室外ケーシング１３Ａの前壁あるいは側壁を凹設して設けられる。凹設された手掛り部６０の奥まった底部が開口しており、手掛り部６０の奥部開口は、赤外線を通過させる光透過窓１９で閉塞され、機械室１４は密封構造に構成される。手掛り部６０に設けられた光透過窓１９は赤外線を透過する樹脂材料で形成され、赤外線送受信部１７近くでその下方に対向して設けられる。赤外線送受信部１７より下方に光透過窓１９を設けることで、直射日光が外乱として作用するのを防止している。光透過窓１９の上方には、日光を遮る庇４５を設けてもよい。
【００４９】
さらに、室外ケーシング１３の熱交換器室４４内に、室外熱交換器４８が設けられる。室外熱交換器４８は室外ケーシング１３の背面板１３ｂおよび側面板１３ｃに沿って平面視Ｌ字状に設置される。室外熱交換器４８を平面視Ｌ字状に配置した熱交換器室４４内にモータ駆動の室外ファン３４が複数台、例えば上下２台設けられる。室外ファン３４はファン駆動により、室外ケーシング１３の背側および側面の空気取入口（吸込口（図示せず））から外気を吸引して、室外熱交換器４８で熱交換している。室外熱交換器４８で熱交換されて暖められた空気は、室外ファン３４により前面板１３ａの空気吹出口４９により前方に吹き出される。上下２つの空気吹出口４９はファンガードで覆われている。
【００５０】
室外機１１Ａは前面の空気吹出口４９より暖められた空気が前方に吹き出されるために、室外機１１Ａの前方には吹出スペースが構成される。また、室外機１１Ａの機械室外側面板１３ｄに接続配管（図示せず）が取り付けられるため配管スペースが形成される。このため、室外機１１Ａの前面板１３ａおよび機械室外側面板１３ｄの外周りに空きスペースが形成され、この空きスペースを活用することで外部通信機器２０のアクセスが容易となり、外部通信機器２０は手掛り部６０の凹部に出し入れ挿入可能に構成される。
【００５１】
図５では、光透過窓１９を室外ケーシング１３Ａの前面板側に設けた例を説明したが、側面板１３ｄ側の手掛り部６０に光透過窓１９を設けてもよい。
【００５２】
外部通信機器２０は、図２に示すものと同様に赤外線送受信部３９を備えており、この送受信部３９は電装品箱１５の赤外線送受信部１７と同じ構成を有する。外部通信機器２０の赤外線送受信部３９と電装品箱１５の赤外線送受信部１７は光透過窓１９を通して対向させることができ、外部通信機器２０は室外機１１Ａ内の電装品箱１５内と室外ケーシング１３Ａの外部ケースを取り外すことなく、無線による赤外線通信を行なうことができる。
【００５３】
したがって、室外機１１Ａのコンプレッサ１８および室外ファン３４の運転状態を空気調和装置１０の運転中に、室外機１１Ａの室外ケースを取り外すことなく検査し、確認することができる。室外機１１Ａの運転状態の確認や検査を運転中に行なう場合、作業員が外部通信機器２０を室外機１１Ａの光透過窓１９に近付けて外部から操作するだけで、室外ケーシング１３の一部を取り外したり取り付ける着脱作業が不要となり、作業員を危険に晒すことなく、作業性・安全性の向上を図ることができる。
【００５４】
［他の実施形態］
本発明の各実施形態の説明では、空気調和装置の室外機は室外ファンから熱交換された空気を室外ケーシングの前方に吹き出す例を説明したが、室外ケーシングの上方に熱交換された空気を吹き出すタイプの室外機に適用することもできる。
【００５５】
また、各実施形態では、空気調和装置の室外機に適用した例を説明したが、給湯に用いられるヒートポンプ式給湯器の室外機も空気調和装置の室外機と同様な配置構成を備えるので、給湯器の室外機に適用することができる。
【００５６】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００５７】
１０…空気調和装置、１１，１１Ａ…室外機、１２…室内機、１３，１３Ａ…室外（本体）ケーシング、１４…機械室、１５…電装品箱、１６…室外制御器、１７…赤外線送受信部、１８…コンプレッサ、１９…光透過窓、２０…外部通信機器、２２…室内制御器、２３，２４…室内外通信回路、２５…通信線、２７…リモートコントローラ、３０…ファン駆動回路、３３…インバータ駆動回路、３４…室外ファン、３５…インバータ駆動回路、３７…操作部、３８…制御部、３９…赤外線送受信部、４０…表示部、４３…仕切壁、４４…熱交換器室、４５…庇、４８…室外熱交換器、４９…空気吹出口、６０…手掛り部（把持部）、６１…日光。
【図１】
2015064156.tif 000003
【図２】
2015064156.tif 000004
【図３】
2015064156.tif 000005
【図４】
2015064156.tif 000006
【図５】
2015064156.tif 000007